(57)【要約】【課題】コネクタハウジングに対して回転する方向の力がコネクタカバーに作用しても、コネクタカバーが外れにくいコネクタを提供する。【解決手段】コネクタハウジング１０と、このコネクタハウジング１０の後面から引き出された電線Ｗを所定の方向に屈曲させるコネクタカバー２０と、を有するコネクタＣであって、前記コネクタカバー２０は、係合孔２４が形成された係合片２３を有するとともに、前記コネクタハウジング１０には、前記係合孔２４に係合する係合突起１６が設けられており、前記コネクタカバー２０と前記コネクタハウジング１０とには、互いに嵌合して前記コネクタハウジング１０に対する前記コネクタカバー２０の回転方向の動きを規制する凹凸嵌合構造３０を設けた。【選択図】図１
2010225320.tif 000002
【特許請求の範囲】
【請求項１】
コネクタハウジングと、このコネクタハウジングの後面から引き出された電線を所定の方向に屈曲させるコネクタカバーと、を有するコネクタであって、
前記コネクタカバーは、係合孔が形成された係合片を有するとともに、前記コネクタハウジングには、前記係合孔に係合する係合突起が設けられており、
前記コネクタカバーと前記コネクタハウジングとには、互いに嵌合して前記コネクタハウジングに対する前記コネクタカバーの回転方向の動きを規制する凹凸嵌合構造を設けたコネクタ。
【請求項２】
前記コネクタハウジングは、前記電線の端末に固着された端子金具を収容するキャビティを有し、
前記凹凸嵌合構造は、前記コネクタハウジングの後面に設けられた嵌合凹部と前記コネクタカバーに設けられた嵌合凸部とが前後方向に嵌合する構造とされ、
前記嵌合凹部は、前記コネクタハウジングの後面のうち前記キャビティの開口よりも下方に形成されるとともに前記コネクタハウジングの側方に開放された形態をなしている請求項１に記載のコネクタ。
【発明の詳細な説明】
【技術分野】
【０００１】
本発明は、コネクタカバーを有するコネクタに関する。
【背景技術】
【０００２】
従来より、コネクタハウジングから引き出された電線を所定の方向に屈曲させるコネクタカバーを有するコネクタが知られている。例えば特許文献１に記載されたコネクタにおいては、コネクタカバーは、コネクタハウジングの後面側に取り付けられ、コネクタハウジングの後面から引き出された電線を略直角方向に屈曲した状態に保持するようになっている。コネクタカバーには、係合孔が形成された係合片が設けられ、コネクタハウジングには、係合孔に係合する係合突起が設けられており、この係合孔と係合突起との係合により、コネクタカバーはコネクタハウジングに取り付けられた状態に保持される。
【先行技術文献】
【特許文献】
【０００３】
【特許文献１】特開２００１−３５５８８号公報
【発明の概要】
【発明が解決しようとする課題】
【０００４】
ところで、コネクタカバーにより所定方向に屈曲された電線を、さらに他の方向へ屈曲させる場合等には、その電線の動きに伴って、コネクタカバーに力が作用することになる。例えば上記のようなコネクタにおいて、コネクタカバーにより下方に屈曲されている電線を、側方へ持ち上げるように屈曲させた場合には、コネクタカバーには、コネクタハウジングに対して回転する方向の力が作用する。すると、この回転方向の力によりコネクタカバーが回転方向に動き、係合片がコネクタハウジングの係合突起に乗り上がって、係合突起と係合孔との係合が外れてしまうおそれがある。
【０００５】
本発明は上記のような事情に基づいて完成されたものであって、コネクタハウジングに対して回転する方向の力がコネクタカバーに作用しても、コネクタカバーが外れにくいコネクタを提供することを目的とする。
【課題を解決するための手段】
【０００６】
本発明のコネクタは、コネクタハウジングと、このコネクタハウジングの後面から引き出された電線を所定の方向に屈曲させるコネクタカバーと、を有するコネクタであって、前記コネクタカバーは、係合孔が形成された係合片を有するとともに、前記コネクタハウジングには、前記係合孔に係合する係合突起が設けられており、前記コネクタカバーと前記コネクタハウジングとには、互いに嵌合して前記コネクタハウジングに対する前記コネクタカバーの回転方向の動きを規制する凹凸嵌合構造を設けたものである。
このような構成によれば、凹凸嵌合構造がコネクタカバーの回転方向の動きを規制するから、コネクタハウジングに対して回転する方向の力がコネクタカバーに作用しても、コネクタカバーがコネクタハウジングから外れにくいものとすることができる。
【０００７】
また、前記コネクタハウジングは、前記電線の端末に固着された端子金具を収容するキャビティを有し、前記凹凸嵌合構造は、前記コネクタハウジングの後面に設けられた嵌合凹部と前記コネクタカバーに設けられた嵌合凸部とが前後方向に嵌合する構造とされ、前記嵌合凹部は、前記コネクタハウジングの後面のうち前記キャビティの開口よりも下方に形成されるとともに前記コネクタハウジングの側方に開放された形態をなしているものとしてもよい。
このような構成によれば、嵌合凹部に溜まった水は、キャビティよりも下方へ流れ出る。したがって、嵌合凹部から水が流れ出して、キャビティ内に入り込むことを防止することができる。
【発明の効果】
【０００８】
本発明によれば、コネクタハウジングに対して回転する方向の力がコネクタカバーに作用しても、コネクタカバーが外れにくいコネクタを提供することができる。
【図面の簡単な説明】
【０００９】
【図１】本実施形態にかかるコネクタの正面図
【図２】同上面図
【図３】コネクタカバーの正面図
【図４】同側面図
【図５】同上面図
【図６】同下面図
【図７】同斜め下方から見た斜視図
【発明を実施するための形態】
【００１０】
以下、本発明を具体化した一実施形態について、図１〜図７を参照しつつ詳細に説明する。
本実施形態におけるコネクタＣは、コネクタハウジング１０と、このコネクタハウジング１０の後面から引き出された電線Ｗを所定の方向に屈曲させるコネクタカバー２０と、を有するものである。以下、各構成部材において、図１の上下方向を上下方向とし、またコネクタＣの相手側コネクタとの嵌合面側を前方、その反対側を後方として説明する。
【００１１】
コネクタハウジング１０は合成樹脂によって形成され、電線Ｗの端末に固着された図示しない端子金具を収容可能な端子収容部１１と、端子収容部１１の周囲を囲う外筒部１２とを備えている。
端子収容部１１は、若干幅方向に長い断面略長方形の角柱状をなしている。端子収容部１１には、端子金具を後方から挿入可能なキャビティ１３が、幅方向および高さ方向に所定の間隔を空けて４室配設されている。そして、各キャビティ１３の内周面からはランス１４が片持ち状に突設され、このランス１４により、キャビティ１３に収容された端子金具が弾性的に係止されて後方への抜出しが防止されるようになっている。各端子金具に接続された４本の電線Ｗは、２本ずつ上下２段にわかれてコネクタハウジング１０の後面から後方に延出している。なお、端子収容部１１と外筒部１２との間には、図示しない相手側コネクタのハウジングが嵌合可能とされ、またコネクタハウジング１０の上面には、相手側コネクタのハウジングとの間を嵌合状態にロックするためのロックアーム１５が形成されている。
【００１２】
コネクタハウジング１０には、後述するコネクタカバー２０の係合片２３と係合する係合突起１６が設けられている。係合突起１６は、図２に示すように、コネクタハウジング１０の幅方向に一対設けられている。各係合突起１６は、それぞれ上下方向に長い形状をなしてコネクタハウジング１０の側面から側方に突出している。一対の係合突起１６は、コネクタハウジング１０の後端に位置している。なお、コネクタハウジング１０の後面には、後述するコネクタカバー２０の突出壁２５が差し込まれる差込溝（図示せず）が形成されている。
【００１３】
コネクタカバー２０は、コネクタハウジング１０から後方へ引き出された電線Ｗを下方へ屈曲させた状態に保持するものである。コネクタカバー２０は合成樹脂材よりなり、コネクタハウジング１０の後面と対向するカバー本体部２１と、カバー本体部２１から下方へ延びる電線ガイド部２２とを有している。
【００１４】
カバー本体部２１は、コネクタハウジング１０の後面の略全体を覆う矩形状をなしている。カバー本体部２１は、後方へ凹む皿状をなし、その前端縁がコネクタハウジング１０の後面に当接するようになっている。詳しくは、コネクタハウジング１０の前端縁のうち幅方向の両端において上下方向に延びる部分、および下端において幅方向に延びる部分が、コネクタハウジング１０の後面に当接するようになっている。
【００１５】
カバー本体部２１には、コネクタカバー２０をコネクタハウジング１０に取り付けた状態に保持する係合片２３が、幅方向に一対設けられている。各係合片２３は、略門形をなしてカバー本体部２１の側面からカバー本体部２１の前端縁よりも前方に至る位置まで延出している。各係合片２３は、上下方向に長い形状をなしている。
【００１６】
各係合片２３には、コネクタハウジング１０の係合突起１６が係合する係合孔２４が形成されている。各係合孔２４は、上下方向に長い長方形状をなして開口している。係合孔２４に係合突起１６が嵌め込まれることにより、コネクタカバー２０がコネクタハウジング１０に取り付けられた状態に保持される。
【００１７】
また、カバー本体部２１には、一対の係合片２３と対向して立ち上がる一対の突出壁２５が設けられている。一対の突出壁２５は、カバー本体部２１の前端縁のうち係合片２３の係合孔２４と対向する位置から突出している。各突出壁２５は、上下方向に長い壁状をなし、カバー本体部２１を側方から見たときの大きさが、係合孔２４の大きさよりも一回り小さいものとされている（図４参照）。なお、各突出壁２５の突出端部は、その先端に向かって壁厚寸法が少しずつ小さくなる形状とされている。
【００１８】
電線ガイド部２２は、カバー本体部２１から真っ直ぐ下方へ延びた後、斜め下方に屈曲した形状をなしている（図３参照）。電線ガイド部２２の幅寸法は、カバー本体部２１の幅寸法よりも小さく、その下端寄りの位置には最も幅寸法の小さい電線固定部２６が形成されている。電線固定部２６には、固定バンド２７によって電線Ｗが巻き付けられて固定されている。
【００１９】
さて、コネクタカバー２０とコネクタハウジング１０とには、互いに嵌合してコネクタハウジング１０に対するコネクタカバー２０の回転方向の動きを規制する凹凸嵌合構造３０が設けられている。この凹凸嵌合構造３０は、コネクタハウジング１０の後面に設けられた嵌合凹部３０Ａとコネクタカバー２０に設けられた嵌合凸部３０Ｂとからなり、嵌合凸部３０Ｂと嵌合凹部３０Ａとは前後方向に嵌合可能とされている。
【００２０】
嵌合凹部３０Ａは、コネクタハウジング１０の幅方向に一対が設けられている。一対の嵌合凹部３０Ａは、図１に示すように、コネクタハウジング１０の後面のうち端子収容部１１よりも下方の位置において端子収容部１１を間に挟む位置に設けられ、ともに全てのキャビティ１３の開口よりも下方に位置している。なお、一対の嵌合凹部３０Ａは、コネクタハウジング１０における高さ方向の位置がほぼ同じとなる位置に形成されている。
【００２１】
各嵌合凹部３０Ａは、コネクタハウジング１０の幅方向に長い略長方形状をなしてコネクタハウジング１０の後面から前方に凹んでいる。各嵌合凹部３０Ａは、その長手方向の一端側がコネクタハウジング１０の側方に開放された形態をなし、一対の嵌合凹部３０Ａのうち図１の右側の嵌合凹部３０Ａはコネクタハウジング１０の右方に、左側の嵌合凹部３０Ａはコネクタハウジング１０の左方に開放されている。
【００２２】
嵌合凸部３０Ｂは、図３に示すように、コネクタカバー２０の幅方向に一対が設けられている。一対の嵌合凸部３０Ｂは、カバー本体部２１の前端縁から前方に突出している。一対の嵌合凸部３０Ｂは、それぞれ係合片２３の近傍に設けられている。詳しくは、嵌合凸部３０Ｂは、上下方向においては、係合片２３と横方向に並んで（係合片２３の下端と横方向に並んで）位置し、また、コネクタカバー２０の幅方向においては、係合片２３と突出壁２５との間に位置している。各嵌合凸部３０Ｂは、その略全体が嵌合凹部３０Ａに嵌合可能な直方体状をなし、前方から見ると、コネクタカバー２０の幅方向に長い矩形状をなしている。なお、嵌合凸部３０Ｂの幅方向寸法は、係合片２３と突出壁２５との対向方向の間隔よりも若干小さい寸法とされている。
【００２３】
次に、上記のように構成された本実施形態の作用および効果について説明する。
例えば、コネクタカバー２０の電線ガイド部２２に固定されて下方へ延びる電線Ｗの束を、所定の配索経路に沿わせるためにカバー本体部２１の側方に向かって屈曲させた場合には、電線ガイド部２２の下端に上向きの力が作用し、この上向きの力は、コネクタハウジング１０に対してコネクタカバー２０を回転させる方向（前後方向を回転軸とする回転方向）に作用する。ここで、従来のコネクタのように凹凸嵌合構造が設けられていない場合には、コネクタカバーが回転方向に動いて係合片が係合突起に乗り上がり、係合突起と係合孔との係合が外れてしまうおそれがある。しかしながら、本実施形態では、コネクタカバー２０とコネクタハウジング１０とには、互いに嵌合してコネクタハウジング１０に対するコネクタカバー２０の回転方向の動きを規制する凹凸嵌合構造３０が設けられているから、コネクタカバー２０が回転方向に動いてコネクタハウジング１０から外れてしまう事態を防止することができる。したがって、コネクタハウジング１０に対して回転する方向の力がコネクタカバー２０に作用しても、コネクタカバー２０がコネクタハウジング１０から外れにくいものとすることができる。また、本実施形態においては、電線Ｗの動きに伴う力は、コネクタカバー２０のカバー本体部２１から比較的離れた位置（電線ガイド部２２の下端）に作用するから、カバー本体部２１に作用する回転方向の力は大きくなりがちであるため、上記のような凹凸嵌合構造３０を設けることがより有利となる。
【００２４】
また、嵌合凹部３０Ａは、コネクタハウジング１０の後面のうちキャビティ１３の開口よりも下方に形成されるとともにコネクタハウジング１０の側方に開放された形態をなしている。これにより、嵌合凹部３０Ａに溜まった水は、キャビティ１３よりも下方へ流れ出るから、嵌合凹部３０Ａに溜まった水が流れ出してキャビティ１３内に入り込んでしまうことを防止することができる。
【００２５】
＜他の実施形態＞
本発明は上記記述及び図面によって説明した実施形態に限定されるものではなく、例えば次のような実施形態も本発明の技術的範囲に含まれる。
【００２６】
（１）上記実施形態では、凹凸嵌合構造３０は、コネクタハウジング１０の後面に設けられた嵌合凹部３０Ａとコネクタカバー２０に設けられた嵌合凸部３０Ｂとからなり、前後方向に嵌合可能なものとされているが、これに限らず、例えば、凹凸嵌合構造を、コネクタハウジングの側面に設けられた嵌合凹部とコネクタカバーに設けられた嵌合凸部とからなるものとし、コネクタの幅方向に嵌合可能なものとしてもよい。
【００２７】
（２）上記実施形態では、コネクタハウジング１０に嵌合凹部３０Ａを設け、コネクタカバー２０に嵌合凸部３０Ｂを設けているが、これとは逆に、コネクタハウジングに嵌合凸部を設け、コネクタカバーに嵌合凹部を設けるようにしてもよい。
【符号の説明】
【００２８】
Ｃ…コネクタ
Ｗ…電線
１０…コネクタハウジング
１３…キャビティ
１６…係合突起
２０…コネクタカバー
２３…係合片
２４…係合孔
３０…凹凸嵌合構造
３０Ａ…嵌合凹部
３０Ｂ…嵌合凸部
【図１】
2010225320.tif 000003
【図２】
2010225320.tif 000004
【図３】
2010225320.tif 000005
【図４】
2010225320.tif 000006
【図５】
2010225320.tif 000007
【図６】
2010225320.tif 000008
【図７】
2010225320.tif 000009